(57)【要約】【課題】記録媒体のラベル面の露出度を高めることができ、積層された記録媒体の検索性を向上することができるインデックスシートを提供する。【解決手段】スピンドルケース１のスピンドル３に中心孔を係合させることにより、厚み方向に重ねた状態で収容される複数枚のディスク状の記録媒体５に、インデックスを付すために使用されるインデックスシート１０であって、スピンドル３に係合する孔１３を有するへら状の内周部１２と、内周部１２に続いて記録媒体５の半径方向に延出する柄部１１と、柄部１１に続くへら状の外周部１４であって、記録媒体５の外側に突出するインデックス片を有する外周部１４と、を含んでいる。【選択図】図１
2010105686.tif 000002
【特許請求の範囲】
【請求項１】
スピンドルケースの軸部に中心孔を係合させることにより、厚み方向に重ねた状態で収容される複数枚のディスク状の記録媒体に、インデックスを付すために使用されるインデックスシートであって、
前記軸部に係合する係合部を有するへら状の第１の部分と、
該第１の部分に続いて前記記録媒体の半径方向に延出する柄部と、
該柄部の延出端に続くへら状の第２の部分であって、前記記録媒体の外側に突出するインデックス片を有するへら状の第２の部分と、
を含んでいるインデックスシート。
【請求項２】
前記第１の部分がさらに前記インデックス片を有し、前記第２の部分がさらに前記係合部を有する、請求項１に記載のインデックスシート。
【請求項３】
前記へら状は、円形状、矩形状、多角形状、長円形状、撥状、円弧状及び傘状の何れか一つの形状である、請求項１又は２に記載のインデックスシート。
【請求項４】
前記第１の部分のへら状は、円形状、矩形状、多角形状、長円形状、撥状、円弧状及び傘状の何れか一つの形状であり、前記第２の部分のへら状は、円形状、矩形状、多角形状、長円形状、撥状、円弧状及び傘状の何れか一つの形状であって、かつ前記第１の部分のへら状と異なる形状である請求項１又は２に記載のインデックスシート。
【請求項５】
前記インデックス片には、該インデックス片を前記記録媒体の周縁に沿って折り曲げる際に起点となる起点部が形成されている、請求項１〜４の何れか１項に記載のインデックスシート。
【請求項６】
前記係合部が貫通孔である、請求項１〜５の何れか１項に記載のインデックスシート。
【請求項７】
前記係合部が前記貫通孔と前記端部の周囲とを連通する開口を有する、請求項６に記載のインデックスシート。
【請求項８】
前記第１の部分から延出する前記柄部が複数形成され、個々の柄部の先端に前記第２の部分が形成されている、請求項１〜７の何れか１項に記載のインデックスシート。
【請求項９】
少なくとも前記インデックス片には着色がなされている、請求項１〜８の何れか１項に記載のインデックスシート。
【発明の詳細な説明】
【技術分野】
【０００１】
本発明は、スピンドルケースに収容される複数枚のディスク状の記録媒体に、インデックスを付すために使用されるインデックスシートに関する。
【背景技術】
【０００２】
スピンドルケースは、ＣＤ(Compact Disc)、ＤＶＤ(Digital Versatile Disc)、ＢＤ(Blu-ray Disc )などのディスク状の記録媒体を重ねた状態で収容するケースである。スピンドルケースには、記録媒体の中心に位置する中心孔をケース本体のスピンドル（軸部）に係合させることにより、複数枚の記録媒体を上下に重ねた状態で収容できるようになっている。スピンドルケースの一例として、２５枚、５０枚、１００枚のディスク状記録媒体を収容するものが知られている。
【０００３】
一般に、スピンドルケースは、円盤状のベースプレートを有するケース本体と、ケース本体を覆うカバーと、を備えている。ベースプレートの中央には、ベースプレートの上面から垂直に起立するスピンドルが垂設されている。記録媒体は、中心孔をスピンドルに係合させることにより、複数枚の記録媒体が同心状に上下方向に積み重なるようになっている。そして、ケース本体にカバーを被せることにより、積層された複数枚の記録媒体が保護されるようになっている。
【０００４】
このようなスピンドルケースには、収納されている個々の記録媒体に索引を付すために、インデックスシートが用いられることがある。この種のインデックスシートの一例として、特許文献１及び２で開示されているものが知られている。特許文献１の段落番号［００１６］及び［００１７］には、ディスク状のインデックスシートについての記載があり、「・・・ディスク状インデックス１は、直径130ｍｍで厚み0.6ｍｍのポリカーボネート製で、収納体２の有するガイド軸３を挿入する孔が中心に設けられ、この孔にガイド軸３を通すことにより、直径120ｍｍのディスク状記録媒体４と同様に収納体に保持される。この孔は、収納する光ディスクと同一の径で直径15ｍｍに形成した。スピンドルケース等にディスク状記録媒体を厚み方向に重ねて保管する場合、このディスク状インデックス１をスピンドルケースに集積された記録媒体４の任意の位置に挟むことにより、A、B、Cそれぞれ区分けすることができ、購入時のスピンドルケースを用いて記録媒体を任意の枚数に区画し、管理、して収納することを可能にするものである」と記載されている。また、［００１９］には、拡張部についての記載があり、「・・・ディスク状インデックス１は直径１２０ｍｍで厚さ０．６ｍｍのポリカーボネート製で、収納体２の有するガイド軸３を挿入する孔が中心に設けられ、外周部の一部のみを直径１３０ｍｍに拡張して拡張部５を形成した。・・・」と記載されている。
【０００５】
特許文献２の段落番号［００１４］及び［００１５］には、インデックスシートについての記載があり、「・・・第１実施形態のインデックスシート１０は、光ディスクＤ（図３参照）とほぼ同じか若干大きい寸法の外径を有する円盤状部１０１と、円盤状部１０１に一体的に設けられ、円盤状部１０１から突出して形成された一対の突出部１０２とを備える。ここでは突出部１０２を一対としたが、少なくとも１つ設ければよい。突出部１０２は後述するようにタイトル等を記載するための情報記載部１０６となっている。このインデックスシート１０は例えば紙またはプラスチックよりなる。筆記が容易であることから、紙を用いる方が好ましい。円盤状部１０１の中央には光ディスクＤの中央に形成されている中心孔とほぼ同じ寸法（直径）の中心孔１０３が設けられている」と記載されている。
【０００６】
【特許文献１】特開２００６−３４１９１２号公報
【特許文献２】特開２００７−２９７１０５号公報
【発明の開示】
【発明が解決しようとする課題】
【０００７】
記録媒体は、記録面と反対側の面に、タイトルや日付などのメモを書いたり、印刷したりするためのラベル面を有している。特許文献１及び２に記載されているインデックスシートは、ディスク状の記録媒体と同程度の大きさを有しているため、記録媒体のラベル面がインデックスシートで隠されてしまい、個々の記録媒体に固有の情報であるタイトルや日付などのメモを読みとることができないという問題があった。また、複数枚のインデックスシートを使用した場合には、インデックスシートの厚みに相当にする分だけスピンドルケースが上下方向に崇高化するということがあった。
【０００８】
また、特許文献１及び２に記載されているインデックスシートでは、記録媒体の半径方向外側に突出する部分、すなわち、特許文献１では拡張部、特許文献２では突出部が、インデックスを付すためのインデックス片に相当する部分として形成されているが、拡張部や突出部に付したインデックスを間違った場合に、その間違いを修正などできないときにはインデックスシートを破棄しなければならないことがあった。
【０００９】
本発明は、記録媒体のラベル面の露出度を高めることができ、積層された記録媒体の検索性を向上することができるインデックスシートを提供する。
【課題を解決するための手段】
【００１０】
本発明の一態様は、スピンドルケースの軸部に中心孔を係合させることにより、厚み方向に重ねた状態で収容される多数のディスク状の記録媒体に、インデックスを付すために使用されるインデックスシートであって、前記軸部に係合する係合部を有するへら状の第１の部分と、該第１の部分に続いて前記記録媒体の半径方向に延出する柄部と、該柄部の延出端に続くへら状の第２の部分であって、前記記録媒体の外側に突出するインデックス片を有する第２の部分と、を含んでいるインデックスシートを提供する。
【００１１】
前記インデックスシートにおいて、前記第１の部分が前記インデックス片をさらに有し、前記第２の部分が前記係合部をさらに有することもできる。前記へら状を、円形状、矩形状、多角形状、長円形状、撥状、円弧状及び傘状の何れかの形状とすることができる。また、第１の部分と第２の部分の形状を異なる形状にすることもできる。また、前記係合部の形態は制限されるものではなく、貫通孔又は開口端を有する溝とすることができる。また、前記柄部を複数形成して、個々の柄部の端部に第２の部分を形成することもできる。また、インデックス片に、記録媒体の周縁に沿って折り曲げるための起点部を形成することもできる。また、インデックスシートのインデックス片などに着色を施すこともできる。
【発明の効果】
【００１２】
本発明のインデックスシートによれば、軸部に係合する係合部を有する第１の部分がへら状であるから、インデックスシートで隠される記録媒体のラベル面のスペースを小さくすることができる。このため、記録媒体のラベル面の露出度を高めることができ、個々の記録媒体に固有の情報であるタイトルや日付などのメモを読みとることができる。また、インデックスシートを上下の記録媒体の間に挟んだときに、上下の記録媒体の間に隙間を存するものとなるが本発明のインデックスシートは、その形状から薄いシートとすることができるため、スピンドルケースの崇高化を抑制することができる。また、第１の部分と第２の部分に、係合部とインデックス片とをそれぞれ備え、第１の部分と第２の部分を相互に対称的な形状とすることで、インデックス片に付したメモなどを間違った場合に、第１の部分と第２の部分の向きを変えて使用することができ、インデックスシートの利用価値を高めることができる。
【発明を実施するための最良の形態】
【００１３】
以下、本発明の一実施形態について、図面を参照しながら説明する。本発明のインデックスシートは、スピンドルケースのスピンドル（軸部）に係合する係合部を有するへら状の内周部（第１の部分）と、内周部に続いて記録媒体の半径方向に延出する柄部と、柄部の延出端に続く外周部（第２の部分）であって、記録媒体の外側に突出するインデックス片を有する外周部と、を含んでいる。インデックスシートの形態は、制限されるものでないが、図１〜４に例示されているものを挙げることができる。へら状の内周部及び外周部の形態は、図５に例示されている種々の形態を挙げることができるが、これに制限されるものではない。本明細書でいう「へら状」とは、細く長いが柄部より幅広で、かつ、平らな形状をいうものと定めることとし、図５に例示されている種々の形態を含むものとする。また、インデックスシートは、紙、プラスチックフィルム、布、金属などで作成することができるが、これに制限されるものではない。インデックスシートの厚みを薄くしたり、メモ書きできるようにしたりする場合は、紙やプラスチックフィルムなどが好ましい。インデックスシートの端部を折り曲げて使用する場合には、紙などが好適する。本発明のインデックスシートは、内周部がへら状をなし、ディスク状記録媒体のラベル面の隠されるスペースが小さくなるため、記録媒体のラベル面の露出度を高めることができ、これにより、ラベル面に記載されているメモを読みとることができようになり、積層された記録媒体の検索性を向上することができる。
【００１４】
スピンドルケース１は、一例として図１などに示すように、円盤状のプレート２にスピンドル３が垂設されているケース本体４と、ケース本体４に着脱可能に装着される中空截頭円柱形状又は円錐形状のカバー６と、を備えているが、本実施の形態に制限されるものではない。
【００１５】
ケース本体４のプレート２上面には、環状の段部（図示せず）が形成されていて、段部の半径方向外側にカバー６の下端部が上方から嵌入されるようになっている。段部の半径方向内側領域は、ディスク状の記録媒体５の収納スペースとして形成されると共に、中心部にはスピンドル３が上方に向けて延設されている。スピンドル３には記録媒体５の中心孔が係合し、複数枚の記録媒体５が同心で積み重なるようになっている。スピンドル３は、円柱形状を呈し、スピンドル３の高さは、カバー６の高さよりも僅かに低くなっている。
【００１６】
図１（ａ）は、第１の実施形態のインデックスシートを示す。図１（ｂ）には、本実施形態のインデックスシートがスピンドルケース１に使用された態様が示されている。本実施形態のインデックスシート１０は、瓢箪型又はレンチ型をなし、柄部１１の両端に大きさが略等しい円形部を有している。柄部１１の幅は、記録媒体５のラベル面の露出度を高める観点から、両端の円形部より細く形成することが好ましい。孔１３を有する一方の円形部は、使用状態で記録媒体５の内周側に位置し、スピンドルケース１のスピンドルに係合する側の内周部１２として形成されている。孔のない他方の円形部は、使用状態で記録媒体５の外周側に位置する外周部１４として形成されている。外周部１４には、相対向する一対の切欠部（起点部）１５を繋ぐ折り曲げ線１６より外側領域に、記録媒体５の周縁に沿って折り曲げ可能なインデックス片１７が形成されている。スピンドルケース１のカバー６と記録媒体５の側面との間にはスペースが僅かしかないため、インデックス片１７は図１（ｂ）に示すように、折り曲げた状態で使用される。なお、本実施形態では、起点部としてＶ字状の切り込みである切欠部１５が形成されているが、切欠部１５に代えて折り曲げ線１６に沿うミシン目を形成することもできる。
【００１７】
スピンドルケース１には、複数枚のインデックスシート１０を使用することができる。着色されたインデックス片１７を用いたり、インデックス片１７にメモ書きを加えたりすることにより、記録媒体５の使用／未使用の区別、記録媒体５のグループ分けなどを行うことができる。メモ書きは、両側の円形部の間の柄部１１にも記載することが可能である。特に、異なる色に着色されたインデックス片１７を使用した場合には、デザイン性を高めることができると共に、記録媒体５の整理整頓に趣味性を加えることもでき、複数枚の記録媒体５を収容したパッケージの商品価値を高めることができる。
【００１８】
図２（ａ）は、第２の実施形態のインデックスシートを示す。図２（ｂ）には、本実施形態のインデックスシートがスピンドルケース１に使用された態様が示されている。なお、図２（ｂ）においてスピンドルケース１のカバーは省略されている。本実施形態のインデックスシート２０は、瓢箪型又はレンチ型をなしている点で、第１の実施形態のインデックスシート１０と共通するが、内周部２２として形成されている一方の円形部に開口端を有する溝２３が形成されている点で、第１の実施形態のインデックスシート１０と異なっている。このため、本実施形態のインデックスシート２０をスピンドル３に装着する場合には、スピンドル３の軸直角方向からインデックスシート２０を装着することが可能となる。すなわち、第１の実施形態のインデックスシート１０は、記録媒体５をスピンドル３から外してスピンドル３にシート１０の孔１３を通す必要があるが、本実施形態のインデックスシート２０は、記録媒体５をスピンドル３から外すことなく、スピンドル３の軸直角方向から装着することができるため、インデックスシート２０の装着性を高めることができる。また、本実施形態のインデックスシート２０がスピンドル３から外れないようにするために、溝幅の一部がスピンドル３の外径より幅狭になる部分を形成することも可能である。他方の円形部は、外周部２４として形成され、折り曲げ線１６より外側領域には、第１の実施形態と同様に、記録媒体５の周縁に沿って折り曲げ可能なインデックス片１７が形成されている。その他の構成は第１の実施形態と同様であるため、重複する説明を省略することとする。
【００１９】
図３（ａ）は、第３の実施形態のインデックスシートを示す。図３（ｂ）には、本実施形態のインデックスシート３０がスピンドルケース１に使用された態様が示されている。なお、図３（ｂ）においてスピンドルケース１のカバーは省略されている。本実施形態のインデックスシート３０は、瓢箪型又はレンチ型をなしていると共に、両方の円形部に孔１３と一対の切欠部１５が形成されている。すなわち、本実施形態のインデックスシート３０は、内周部３２と外周部３４とが相互に対称的な形状をなしている。これにより、インデックス片１７に付したメモなどを間違った場合に、内周部３２と外周部３４の向きを変えて使用することができ、インデックスシート３０の利用価値を高めることができる。その他の構成は第１の実施形態と同様であるため、重複する説明を省略することとする。
【００２０】
図４（ａ）は、第４の実施形態のインデックスシートを示す。図４（ｂ）には、本実施形態のインデックスシートがスピンドルケース１に使用された態様が示されている。なお、図４（ｂ）においてスピンドルケース１のカバーは省略されている。本実施形態のインデックスシート４０は、図３に示す瓢箪型の２つのインデックスシート３０が一体的に連結した形態となっており、内周部３２として形成された円形部に一対の柄部１１が連結され、一対の柄部１１の延出端（先端）に外周部３４としての円形部が形成されている。すなわち、本実施形態のインデックスシート４０は、内周部３２の両側に一対の外周部３４を有する形態となっている。本実施形態において、一対の柄部１１は互いに反対方向（１８０゜方向）に延出しているが、一対の柄部１１を互いに交差する方向に延出させることもできる。なお、内周部３２に連結する柄部１１の数は制限されるものではなく、記録媒体５のラベル面５ａの視認性を損なわない範囲で、３本又はそれ以上とすることも可能である。
【００２１】
図５（ａ）には、直交する３本の柄部１１を有するＴ字状のインデックスシート４０Ａが示されている。図５（ｂ）には、直交する４本の柄部１１を有する十字状のインデックスシート４０Ｂが示されている。柄部１１の先端には、インデックス片１７を有する外周部３４が形成されているため、柄部１１の本数を多くすることにより、表示されるインデックス片１７の数も多くなり、インデックス片１７の認識が容易となる。
【００２２】
本実施形態のインデックスシート４０によれば、インデックスシート４０の使用状態において、複数のインデックス片１７が互いに異なる位置に表示されるから、スピンドルケース１を回転させずにインデックス片１７を外部から認識することができ、インデックス片１７の視認性を向上させることができる。また、本実施形態のインデックスシート４０の材質は限定されるものではないが、紙よりは強度が高いプラスチックで作成することにより、インデックスシート４０を持ち上げることで、記録媒体５を同時に持ち上げることができ、記録媒体５の取り扱い性を向上することもできる。本実施形態のその他の構成は、上述した実施形態と同様であるため、重複する構成部分の説明を省略することとする。
【００２３】
以上のように、第１〜第４の実施形態の共通する構成によれば、ケース本体４のスピンドル３に係合する孔１３又は溝２３を有する内周部１２，２２，３２と、インデックス片１７を有する外周部１４，２４，３４とがへら状であり、インデックスシート１０、２０，３０，４０，４０Ａ，４０Ｂが瓢箪型又はスパナ型（Ｔ字、十字状を含む）をなしているから、ディスク状記録媒体５のラベル面５ａの隠されるスペースが小さくなるため、記録媒体５のラベル面５ａの露出度を高めることができる。このため、個々の記録媒体５のラベル面５ａに記載されたメモを読みとることができ、積層された記録媒体５の検索性を向上することができる。
【００２４】
以上、本発明をその好適な実施形態に関連して説明したが、請求の範囲の開示から逸脱することなく様々な修正及び変更を為し得ることは、当業者に理解されるであろう。例えば、インデックスシートの第１〜第４の実施形態では、へら状の内周部１２，２２，３２及び外周部１４，２４，３４が円形状をなしているが、本発明はへら状を円形状のみに制限するものではない。図６には、へら状に含まれる種々の形状が例示されている。図では、（ａ）は矩形のへら状、（ｂ）は多角形のへら状、（ｃ）は長円形のへら状、（ｄ）は撥形のへら状、（ｅ）は円弧形のへら状及び（ｆ）は傘形のへら状をそれぞれ示しているが、他の形状とすることも可能である。また、本発明は、内周部と外周部とを同一形状とすることに制限するものではなく、内周部と外周部の形状を異なる形状、例えば、内周部を円形のへら状とし、外周部を矩形のへら状とすることも可能である。
【００２５】
また、本実施形態のインデックスシートは無彩色として示されているが、インデックスシートに着色を施すこともできる。例えば、インデックス片などを青色、緑色、黄色、赤色、黒色、銀色、金色などの任意の色にカラーリングすることができる。着色する場合にも、内周部と外周部とを異なる色に着色することができる。
【００２６】
このように、内周部と外周部の形状を工夫したり、任意の色に着色を施したりすることにより、インデックスシートの指標性やデザイン性を高めることでき、インデックスシートを有するスピンドルケースの商品価値を上げることができる。
【図面の簡単な説明】
【００２７】
【図１】（ａ）はインデックスシートの第１の実施形態の平面図を示し、（ｂ）は本実施形態のインデックスシートがスピンドルケースに使用された態様を示す斜視図である。
【図２】（ａ）はインデックスシートの第２の実施形態の平面図を示し、（ｂ）は本実施形態のインデックスシートがスピンドルケースに使用された態様を示す斜視図である。
【図３】（ａ）はインデックスシートの第３の実施形態の平面図を示し、（ｂ）は本実施形態のインデックスシートがスピンドルケースに使用された態様を示す斜視図である。
【図４】（ａ）はインデックスシートの第４の実施形態の平面図を示し、（ｂ）は本実施形態のインデックスシートがスピンドルケースに使用された態様を示す斜視図である。
【図５】インデックスシートの第４の実施形態の変形例を示し、（ａ）は柄部が３本のインデックスシートを示し、（ｂ）は柄部が４本のインデックスシートを示す図である。
【図６】インデックスシートの内周部及び外周部の形状の変形例であり、（ａ）は矩形のへら状、（ｂ）は多角形のへら状、（ｃ）は長円形のへら状、（ｄ）は撥形のへら状、（ｅ）は円弧形のへら状及び（ｆ）は傘形のへら状を示す図である。
【符号の説明】
【００２８】
１    スピンドルケース
３    スピンドル
４    ケース本体
５    記録媒体
１０，２０，３０，４０，４０Ａ，４０Ｂ    インデックスシート
１１    柄部
１２，２２，３２    内周部
１４，２４，３４    外周部
１５    切欠部
１７    インデックス片
【図１】
2010105686.tif 000003
【図２】
2010105686.tif 000004
【図３】
2010105686.tif 000005
【図４】
2010105686.tif 000006
【図５】
2010105686.tif 000007
【図６】
2010105686.tif 000008